【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
電子写真方式の画像形成装置であって、
各々が入力された画像信号に基づき光ビームを射出するよう構成されたＮ個（Ｎは２以上の整数）の発光部を有する光源と、
画像データを入力する入力手段と、
入力された画像データに基づいて一走査に対応する一走査画像データを抽出し、合成すると該一走査画像データを構成するようなＮ個の画像信号を生成する信号生成手段と、
感光体上の同一の軌道を前記光源から射出される前記Ｎ個の光ビームにより走査し、前記一走査画像データに対応する潜像画像を前記感光体上に形成する走査制御手段と、
を備えることを特徴とする画像形成装置。
【請求項２】
前記走査制御手段は、
前記光源における前記Ｎ個の発光部の位置に基づき、該Ｎ個の発光部から照射する光ビームの出力タイミングを制御することを特徴とする請求項１に記載の画像形成装置。
【請求項３】
前記信号生成手段は、前記発光部の応答遅延による信号劣化を補償するような画像信号を生成することを特徴とする請求項１に記載の画像形成装置。
【請求項４】
前記信号生成手段は、遅延素子および論理和（ＯＲ）素子により信号劣化を補償するような画像信号を生成することを特徴とする請求項３に記載の画像形成装置。
【請求項５】
前記画像信号はパルス信号として生成され、前記Ｎ個の画像信号の各々は、各画像信号に含まれる隣接パルス間の間隔が予め設定された間隔よりも大きくなるように生成されることを特徴とする請求項１に記載の画像形成装置。
【請求項６】
前記Ｎ個の発光部は前記光源上で１次元配置されていることを特徴とする請求項１に記載の画像形成装置。
【請求項７】
Ｍ個（Ｍ＞Ｎの整数）の発光部が前記光源上に２次元配置されており、
前記Ｍ個の発光部のうち少なくとも１個の発光部は、前記Ｎ個が走査する軌道とは異なる軌道を走査するよう構成されていることを特徴とする請求項１に記載の画像形成装置。
【請求項８】
各々が入力された画像信号に基づき光ビームを射出するよう構成されたＮ個（Ｎは２以上の整数）の発光部を有する光源を用いる電子写真方式の画像形成装置の制御方法であって、
入力手段が、画像データを入力する入力工程と、
信号生成手段が、入力された画像データに基づいて一走査に対応する一走査画像データを抽出し、合成すると該一走査画像データを構成するようなＮ個の画像信号を生成する信号生成工程と、
走査制御手段が、感光体上の同一の軌道を前記光源から射出される前記Ｎ個の光ビームにより走査し、前記一走査画像データに対応する潜像画像を前記感光体上に形成する走査制御工程と、
を含むことを特徴とする画像形成装置の制御方法。
【請求項９】
画像形成装置であって、
画像形成イメージを、主走査方向のライン単位でライン信号としてラインバッファに読み込む読込手段と、
前記ラインバッファに読み込まれた前記ライン信号を離散して複数の離散ライン信号を生成する信号生成手段と、
前記信号生成手段によって生成された前記離散ライン信号のそれぞれに対して波形補正を行い、複数の補正離散ライン信号を生成する補正手段と、
前記補正手段によって生成された前記複数の補正離散ライン信号のそれぞれに対応する複数の光源を用いて、前記複数の光源から射出される光ビームにより感光体上の主走査方向の同一走査線を走査させる走査制御手段と、
を備えることを特徴とする画像形成装置。
【請求項１０】
前記補正手段は、前記離散ライン信号の波形のパルスを引き延ばすことにより、前記補正離散ライン信号を生成することを特徴とする請求項９に記載の画像形成装置。
【請求項１１】
画像形成装置の制御方法であって、
読込手段が、画像形成イメージを、主走査方向のライン単位でライン信号としてラインバッファに読み込む読込工程と、
信号生成手段が、前記ラインバッファに読み込まれた前記ライン信号を離散して複数の離散ライン信号を生成する信号生成工程と、
補正手段が、前記信号生成工程によって生成された前記離散ライン信号のそれぞれに対して波形補正を行い、補正された複数の離散ライン信号を生成する補正工程と、
走査制御手段が、前記補正工程によって生成された前記複数の補正離散ライン信号のそれぞれに対応する複数の光源を用いて、前記複数の光源から射出される光ビームにより感光体上の主走査方向の同一走査線を走査させる走査制御工程と、
を含むことを特徴とする画像形成装置の制御方法。
【手続補正２】
【補正対象書類名】明細書
【補正対象項目名】００１２
【補正方法】変更
【補正の内容】
【００１２】
上述の問題点を解決するために、本発明の画像形成装置は以下の構成を備える。すなわち、電子写真方式の画像形成装置であって、各々が入力された画像信号に基づき光ビームを射出するよう構成されたＮ個（Ｎは２以上の整数）の発光部を有する光源と、画像データを入力する入力手段と、入力された画像データに基づいて一走査に対応する一走査画像データを抽出し、合成すると該一走査画像データを構成するようなＮ個の画像信号を生成する信号生成手段と、感光体上の同一の軌道を前記光源から射出される前記Ｎ個の光ビームにより走査し、前記一走査画像データに対応する潜像画像を前記感光体上に形成する走査制御手段と、を備える。あるいは、画像形成イメージを、主走査方向のライン単位でライン信号としてラインバッファに読み込む読込手段と、前記ラインバッファに読み込まれた前記ライン信号を離散して複数の離散ライン信号を生成する信号生成手段と、前記信号生成手段によって生成された前記離散ライン信号のそれぞれに対して波形補正を行い、複数の補正離散ライン信号を生成する補正手段と、前記補正手段によって生成された前記複数の補正離散ライン信号のそれぞれに対応する複数の光源を用いて、前記複数の光源から射出される光ビームにより感光体上の主走査方向の同一走査線を走査させる走査制御手段と、を備える。
【手続補正３】
【補正対象書類名】明細書
【補正対象項目名】００１３
【補正方法】変更
【補正の内容】
【００１３】
上述の問題点を解決するために、本発明の画像形成装置の制御方法は以下の構成を備える。すなわち、各々が入力された画像信号に基づき光ビームを射出するよう構成されたＮ個（Ｎは２以上の整数）の発光部を有する光源を用いる電子写真方式の画像形成装置の制御方法であって、入力手段が、画像データを入力する入力工程と、信号生成手段が、入力された画像データに基づいて一走査に対応する一走査画像データを抽出し、合成すると該一走査画像データを構成するようなＮ個の画像信号を生成する信号生成工程と、走査制御手段が、感光体上の同一の軌道を前記光源から射出される前記Ｎ個の光ビームにより走査し、前記一走査画像データに対応する潜像画像を前記感光体上に形成する走査制御工程と、を含む。あるいは、読込手段が、画像形成イメージを、主走査方向のライン単位でライン信号としてラインバッファに読み込む読込工程と、信号生成手段が、前記ラインバッファに読み込まれた前記ライン信号を離散して複数の離散ライン信号を生成する信号生成工程と、補正手段が、前記信号生成工程によって生成された前記離散ライン信号のそれぞれに対して波形補正を行い、補正された複数の離散ライン信号を生成する補正工程と、走査制御手段が、前記補正工程によって生成された前記複数の補正離散ライン信号のそれぞれに対応する複数の光源を用いて、前記複数の光源から射出される光ビームにより感光体上の主走査方向の同一走査線を走査させる走査制御工程と、を含む。